(57)【要約】      （修正有）【課題】利便性に優れた陳列スタンドを提供する。【解決手段】上下方向に延びる棒状の支柱部材２と、上下方向に対して傾斜した姿勢で支柱部材２に一端が支持され、供物を収容する籠を保持するためのアーム部材３と、支柱部材２の端部に取り付けられ、支柱部材２同士を上下方向に直列に連結するためのジョイント部材４とを備える。これによれば、ジョイント部材４を介して連結する支柱部材２の数を増減することで、１つの陳列スタンドにユーザ等の要望に応じた供物を盛り付けることが可能となる。さらに、支柱部材２同士の連結を解除することで、未使用時等には陳列スタンド１の嵩を小型にすることが可能となり、従来のような運搬や保管の際における不具合も生じ難い。【選択図】図１
0003158728.tif 000002
【実用新案登録請求の範囲】
【請求項１】
上下方向に延びる棒状の支柱部材（２）と、
前記支柱部材（２）に一端が支持され、上下方向に対して傾斜した姿勢で陳列する物品を収容する容器（１０）を保持するためのアーム部材（３）と、
前記支柱部材（２）の端部に取り付けられ、前記支柱部材（２）同士を上下方向に直列に連結するためのジョイント部材（４）と、
を備えることを特徴とする陳列スタンド。
【請求項２】
前記支柱部材（２）には、前記支柱部材（２）に沿って上下方向に摺動可能な可動支持部（３６）が取り付けられ、
前記アーム部材（３）は、
前記支柱部材（２）に対して上下方向に回動可能となるように一端が連結された複数のアーム（３１、３２）と、
前記複数のアーム（３１、３２）に対応して設けられ、一端が前記可動支持部（３６）に連結されると共に他端が前記複数のアーム（３１、３２）に連結された複数のステー（３３、３４）とを有し、
前記可動支持部（３６）の上方への移動に連動して前記複数のアーム（３１、３２）が前記支柱部材（２）に沿った姿勢に移行し、前記可動支持部（３６）の下方への移動に連動して前記複数のアーム（３１、３２）が上下方向に対して傾斜した姿勢に移行するように折り畳み可能に構成されていることを特徴とする請求項１に記載の陳列スタンド。
【請求項３】
前記支柱部材（２）の下端側を支持するための土台部材（５）を備え、
前記土台部材（５）には、複数の車輪（５ａ）が設けられていることを特徴とする請求項１または２に記載の陳列スタンド。
【請求項４】
前記土台部材（５）は、前記支柱部材（２）を取り外し可能に構成されると共に、前記支柱部材（２）を取り外した状態の前記土台部材（５）同士を上下に積層可能に構成されていることを特徴とする請求項３に記載の陳列スタンド。
【考案の詳細な説明】
【技術分野】
【０００１】
本考案は、物品を陳列するための陳列スタンドに関する。
【背景技術】
【０００２】
従来、物品を陳列するための陳列スタンドは、種々提案されている。例えば、特許文献１には、陳列スタンドとして、祝儀や葬儀の際に花、果物、菓子等の供物を陳列する葬儀用果物の籠盛り具が提案されている（例えば、特許文献１参照）。
【先行技術文献】
【特許文献】
【０００３】
【特許文献１】特開平０８−２８９８３９号公報
【考案の概要】
【考案が解決しようとする課題】
【０００４】
ところで、特許文献１では、１つの陳列スタンドに対して果物等を盛る籠を収容する籠受台が一つしか設けられていないため、籠に盛る供物等の物品の量が制限され、ユーザ等の要望に応じて陳列する物品の量を調整することができず、利便性に欠けるといった問題がある。これに対して、１つの陳列スタンドに対して籠受台を複数設けることが考えられるが、陳列スタンド自体の体格が大きくなるので、陳列スタンドの運搬に手間がかかったり、保管場所の確保が困難となったりする不具合があり、利便性に欠けるものとなる。
【０００５】
本考案は上記点に鑑みて、利便性に優れた陳列スタンドを提供することを目的とする。
【課題を解決するための手段】
【０００６】
上記目的を達成するため、請求項１に記載の考案では、上下方向に延びる棒状の支柱部材（２）と、上下方向に対して傾斜した姿勢で支柱部材（２）に一端が支持され、陳列する物品を収容する容器（１０）を保持するためのアーム部材（３）と、支柱部材（２）の端部に取り付けられ、支柱部材（２）同士を上下方向に直列に連結するためのジョイント部材（４）とを備えることを特徴とする。
【０００７】
これによると、ジョイント部材（４）を介して連結する支柱部材（２）の数を増減することで、１つの陳列スタンドにユーザ等の要望に応じた物品を陳列することが可能となる。さらに、未使用時等には、支柱部材（２）同士の連結を解除することで、陳列スタンドの体格を小型にすることが可能となり、従来技術のような運搬や保管の際における不具合も生じ難い。
【０００８】
従って、本考案によれば、従来の陳列スタンドに比べて利便性を向上させることが可能となる。
【０００９】
また、請求項２に記載の考案では、請求項１に記載の陳列スタンドにおいて、支柱部材（２）には、支柱部材（２）に沿って上下方向に摺動可能な可動支持部（３６）が取り付けられ、アーム部材（３）は、支柱部材（２）に対して上下方向に回動可能となるように一端が連結された複数のアーム（３１、３２）と、複数のアーム（３１、３２）に対応して設けられ、一端が可動支持部（３６）に連結されると共に他端が複数のアーム（３１、３２）に連結された複数のステー（３３、３４）とを有し、可動支持部（３６）の上方への移動に連動して複数のアーム（３１、３２）が支柱部材（２）に沿った姿勢に移行し、可動支持部（３６）の下方への移動に連動して複数のアーム（３１、３２）が上下方向に対して傾斜した姿勢に移行するように折り畳み可能に構成されていることを特徴とする
このように、アーム部材（３）を折り畳み可能に構成することで、未使用時等において、陳列スタンドの体格をより小型にすることができ、利便性を効果的に向上させることが可能となる。
【００１０】
また、請求項３に記載の考案のように、請求項１または２に記載の陳列スタンドにおいて、支柱部材（２）の下端側を支持するための土台部材（５）を備え、土台部材（５）に複数の車輪（５ａ）を設ける構成としてもよい。
【００１１】
また、請求項４に記載の考案のように、請求項３に記載の陳列スタンドにおいて、土台部材（５）を、支柱部材（２）を取り外し可能に構成すると共に、支柱部材（２）を取り外した状態の土台部材（５）同士を上下に積層可能に構成してもよい。
【００１２】
これによれば、支柱部材（２）を取り外した複数の土台部材（５）を上下に積層することで、土台部材（５）の収納性を向上させることができるので、陳列スタンドの利便性をより効果的に向上させることが可能となる。
【００１３】
なお、この欄および実用新案登録請求の範囲で記載した各手段の括弧内の符号は、後述する実施形態に記載の具体的手段との対応関係を示すものである。
【図面の簡単な説明】
【００１４】
【図１】実施形態に係る陳列スタンドの全体構成を示す斜視図である。
【図２】図１の陳列スタンドに対して籠を取り付けた状態を示す斜視図である。
【図３】実施形態に係る陳列スタンドの要部を示す部分斜視図である。
【図４】実施形態に係るアーム部材の折り畳み構造を説明する説明図である。
【図５】実施形態に係る土台部材の積層状態を説明する説明図である。
【考案を実施するための形態】
【００１５】
以下、本考案の一実施形態について図面に基づいて説明する。図１は本実施形態に係る陳列スタンドの全体構成を示す斜視図であり、図２は図１に示す陳列スタンドに籠を取り付けた状態を示す斜視図（図１に示す符号は省略）であり、図３は本実施形態に係る陳列スタンドの要部を示す部分斜視図である。
【００１６】
本実施形態では、本考案に係る陳列スタンド１を、祝儀や葬儀の際に果物、菓子、花等の供物を収容する網目状の籠（容器）１０を保持するスタンドに適用している。
【００１７】
図１〜図３に示すように、本実施形態の陳列スタンド１は、主に２つの支柱部材２、各支柱部材２に設けられたアーム部材３、各支柱部材２を連結するためのジョイント部材４、支柱部材２の下端側を支持する土台部材５で構成されている。
【００１８】
２つの支柱部材２は、上下方向に延びる金属製の棒状部材であって、ジョイント部材４を介して上下方向に直列に連結されている。２つの支柱部材２それぞれには、上端側に後述するジョイント部材４に形成された係合溝部４１に係合可能な係合ネジ２１が取り付けられている。そして、支柱部材２の上端には樹脂製のキャップ２２が取り付けられている。
【００１９】
また、各支柱部材２には、長手方向（上下方向）の略中央位置の外周に一対の支持片２３、２４が左右に並んで外側（前方側）に向かって突設されている。一対の支持片２３、２４には、板面の略中央部に後述するアーム部材３の一対のアーム３１、３２の一端（根元側端部）を連結するための連結部材２５が設けられている。
【００２０】
アーム部材３は、前方に向かって延びると共に、上下方向に対して斜め下方に傾斜した姿勢で供物を収容する籠１０を保持する籠受台である（図２参照）。本実施形態のアーム部材３は、一対のアーム３１、３２、各アーム３１、３２を支持する一対のステー３３、３４、支柱部材２に挿入されて一対のステー３３、３４を支持する筒状の可動支持部３６を有して構成されている。
【００２１】
一対のアーム３１、３２は、根元側の端部が連結部材２５を介して一対の支持片２３、２４に連結されており、当該連結部材２５を中心に上下方向に回動可能に支持されている。そして、一対のアーム３１、３２は、供物を収容する籠１０を保持可能とするために、根元側から先端部に向かって左右にハの字状に拡がるように構成されている。さらに、一対のアーム３１、３２の先端部は、上方側に突出するようにＬ字状に曲げられており、当該上方に突出した部分にて供物を収容する籠１０の下方側を支持するようになっている。
【００２２】
一対のステー３３、３４は、一端部が一対のアーム３１、３２における中央位置よりも根元側端部寄りの位置に、連結部材３５を介して連結されており、当該連結部材３５を中心に上下方向に回動可能に支持されている。
【００２３】
一対のステー３３、３４における他端部は、可動支持部３６の一対のフック部３６ａ、３６ｂに連結部材３７を介して連結されており、当該連結部材３７を中心に上下方向に回動可能に支持されている。
【００２４】
可動支持部３６は、支柱部材２における係合ネジ２１と一対の支持片２３、２４との間に支柱部材２の外周に沿って上下方向に摺動可能に挿入されている。この可動支持部３６には、外周に一対のフック部３６ａ、３６ｂが左右に並んで外側（前方側）に向かって突設されている。
【００２５】
一対のフック部３６ａ、３６ｂは、連結部材３７を介して一対のステー３３、３４の他端部（根元側端部）を支持する支持部材である。本実施形態の一対のフック部３６ａ、３６ｂそれぞれは、Ｌ字状の平板で構成され、可動支持部３６から離れた外側の一辺が上方向に突出するように設けられ、当該上方に突出した部分を、供物を収容する籠１０の網目に引っ掛けることで、アーム部材３からの籠１０の落下を防止可能となっている。
【００２６】
また、可動支持部３６には、一対のフック部３６ａ、３６ｂが設けられた反対側（後方側）の外周に、支柱部材２に可動支持部３６を固定するためのストッパ３８が設けられており、当該ストッパ３８にて可動支持部３６の姿勢を固定可能となっている。このストッパ３８は、ユーザが可動支持部３６を上下方向に移動させる際の持ち手としても機能する。
【００２７】
本実施形態のアーム部材３は、図４に示すように、可動支持部３６の上下方向の移動により傘状に折り畳み可能に構成している。ここで、図４は、アーム部材３の折り畳み構造を説明する説明図であり、図４（ａ）がアーム部材３を開いた状態を示し、図４（ｂ）がアーム部材３を閉じた状態を示している。
【００２８】
図４（ａ）の状態から、可動支持部３６の位置を上方向へ移動させると、可動支持部３６の移動に連動して、各ステー３３、３４および各アーム３１、３２が上下方向に平行となる姿勢（支柱部材２に沿った姿勢）に移行して、図４（ｂ）に示す状態となる。そして、この状態でストッパ３８にて可動支持部３６を固定することにより、アーム部材３を折り畳んだ姿勢を維持することができる。
【００２９】
一方、図４（ｂ）の状態から可動支持部３６の位置を下方向へ移動させると、可動支持部３６の移動に連動して、各ステー３３、３４および各アーム３１、３２が上下方向に対して傾斜した姿勢に移行して、図４（ａ）に示す状態となる。
【００３０】
図１〜図３に戻り、支柱部材２の下端側に設けられたジョイント部材４は、支柱部材２の上端部を挿入可能な筒状部材であって、各支柱部材２の下端に溶接等にて接合されている。ジョイント部材４には、Ｌ字状の係合溝部４１が形成されており、当該係合溝部４１に下方側に配置する支柱部材２の上端側に設けられた係合ネジ２１を係合させることで、２つの支柱部材２を上下方向に直列に連結可能となっている。なお、ジョイント部材４における連結を解除することで、２つの支柱部材２同士を取外し可能となっている。
【００３１】
土台部材５は、一対の支柱部材２のうち下方側に配置する支柱部材２の下端に接合されたジョイント部材４に連結可能に構成されている。なお、土台部材５とジョイント部材４との連結を解除することで、土台部材５から支柱部材２を取外し可能となっている。
【００３２】
本実施形態の土台部材５は、４本の外枠パイプの端部同士を接合してなる正方形状の外枠５１、左右に並ぶ２本の外枠パイプ間に連結された一対の内枠パイプからなる内枠５２、および内枠５２に支持固定される脚部５３等を有して構成されている。なお、土台部材５を構成する外枠５１、内枠５２、脚部５３それぞれは、金属材料にて構成されている。
【００３３】
土台部材５には、陳列スタンド１を持ち上げることなく移動可能にするために、外枠５１の底面側の四隅（４本の外枠パイプの接続箇所）に対応して４つの車輪５ａが取り付けられている。各車輪５ａには、車輪の回転を規制するためのストッパ（図示略）が設けられている。
【００３４】
また、外枠５１の上面側の四隅には、当該四隅の外側角部に沿ったＬ字状の突出部５ｂが形成されている。この突出部５ｂは、土台部材５同士を積層する際に、他の土台部材５の車輪５ａと当接し、積層した土台部材５の動きを規制するためのものである。なお、土台部材５同士の積層については後述する。
【００３５】
内枠５２は、一対の内枠パイプの一方が前方に位置する外枠パイプに隣接配置され、他方が後方に位置する外枠パイプに隣接配置されている。なお、外枠５１および内枠５２によって目の字型の格子枠が形成されている。
【００３６】
脚部５３は、後方側の内枠パイプの中央部に設けられた連結部材５２ａによって上下方向に立設された主軸５４、および前方側の内枠パイプの中央部に設けられた連結部材５２ｂによって主軸５４に対して交差する方向に立設された支持軸５５で構成されている。
【００３７】
主軸５４の上端側には、ジョイント部材４の係合溝部４１に係合可能な係合ネジ５４ａが設けられており、ジョイント部材４を介して支柱部材２と上下方向に直列に連結可能となっている。また、主軸５４の上下方向の略中央部には、支持軸５５の上端を固定するための連結部材５４ｂが溶接等にて接合されている。
【００３８】
支持軸５５は、上端が主軸５４の連結部材５４ｂに固定されると共に、下端が内枠パイプの連結部材５２ｂに固定されており、主軸５４を側方から支持するものである。
【００３９】
ここで、本実施形態のアーム部材３は前方側に延びる構成であり、アーム部材３に籠１０を保持させた際に、主軸５４には、主軸５４が前方側に倒れる方向に力が作用するため、本実施形態では、支持軸５５を主軸５４の前方側に配置し、主軸５４を前方側から支持するようにしている。
【００４０】
また、本実施形態では、内枠パイプ間の空間等を有効利用して、図５に示すように、支柱部材２を取り外した複数の土台部材５同士を上下に積層する構成としている。ここで、図５は、２つの土台部材５の積層状態を説明する説明図であり、図５（ａ）が積層前の状態を示し、図５（ｂ）が積層後の状態を示している。なお、図５では、便宜上、連結部材５２ａ、５２ｂ、５４ａや係合ネジ５４ａの図示を省略している。
【００４１】
図５（ａ）に示すように、上側の土台部材５の前後方向（前方：支持軸５５側、後方：主軸５４側）を下側の土台部材５の前後方向に対して時計回りに９０度ずらした状態で、下側の土台部材５の脚部５３を上側の土台部材５の２本の内枠パイプの間を通す。そして、上側の土台部材５の車輪５ａを下側の土台部材５の四隅に設けられた突出部５ｂに当接させて、上側の土台部材５の動きを規制することで、図５（ｂ）に示すように、土台部材５同士を積層する。なお、３つ以上の土台部材５を積層する場合は、各土台部材５の前後方向の９０度ずつずらし、螺旋状に積層すればよい。
【００４２】
次に、本実施形態の陳列スタンド１を祝儀や葬儀にて使用する際の使用形態について説明する。まず、上方の支柱部材２に設けられたジョイント部材４の係合溝部４１と下方の支柱部材２に設けられた係合ネジ２１を係合して２つの支柱部材２同士を上下方向に直列に連結する。また、下方の支柱部材２に設けられたジョイント部材４の係合溝部４１と主軸５４の係合ネジ５４ａとを係合して、支柱部材２と土台部材５とを連結する。そして、各支柱部材２に取り付けられたアーム部材３の可動支持部３６の位置を下方に移動させて、アーム部材３を、供物を収容する籠１０を保持可能な姿勢（上下方向に対して斜め下方に傾斜した姿勢）とする（図４（ａ）参照）。
【００４３】
最後に、当該アーム部材３に供物を収容する籠１０を取り付けて、当該籠１０に供物を陳列する（図２参照）。なお、陳列スタンド１を移動させない場合には、土台部材５の各車輪５ａの回転をストッパにて規制する。
【００４４】
一方、陳列スタンド１の運搬や保管を行う際（未使用時）には、先ず、アーム部材３から供物を収容する籠１０を取り外す。そして、上方の支柱部材２に設けられたジョイント部材４の係合溝部４１と下方の支柱部材２に設けられた係合ネジ２１との係合を外して、２つの支柱部材２同士の連結を解除する。また、下方の支柱部材２に設けられたジョイント部材４の係合溝部４１と主軸５４の係合ネジ５４ａとを係合を外して、支柱部材２と土台部材５との連結を解除する。
【００４５】
各支柱部材２に取り付けられたアーム部材３の可動支持部３６の位置を上方に移動させて、アーム部材３を、一対のアーム３１、３２および一対のステー３３、３４が支柱部材２の長手方向（上下方向）に平行となる姿勢とする（図４（ｂ）参照）。
【００４６】
さらに、支柱部材２を取り外した複数の土台部材５同士を上下に積層する（図５（ｂ）参照）。さらに、積層した土台部材５における外枠パイプと内枠パイプとの間の隙間等に、アーム部材３を折り畳んだ状態の支柱部材２を収容する。
【００４７】
以上説明した本実施形態の陳列スタンド１では、支柱部材２の下端側に設けられたジョイント部材４によって、アーム部材３が連結された複数の支柱部材２（本実施形態では２つの支柱部材２）を連結可能に構成している。このため、ジョイント部材４を介して連結する支柱部材２の数を増減することで、１つの陳列スタンドに顧客等の要望に応じた供物を盛り付ける（陳列する）ことが可能となる。
【００４８】
さらに、未使用時等には、支柱部材２同士の連結を解除することで、陳列スタンド１の体格を小型にすることが可能となり、葬儀場等への運搬時や保管場所の確保が困難になるといった不具合も生じ難い。
【００４９】
従って、本考案によれば、従来の陳列スタンドに比べて利便性を向上させることが可能となる。
【００５０】
また、本実施形態では、アーム部材３の可動支持部３６を支柱部材２の長手方向（上下方向）に移動させることで、傘状に折り畳み可能に構成しているので、未使用時等において陳列スタンド１の構成をより小型にすることができる。このため、陳列スタンド１の利便性をより効果的に向上させることができる。
【００５１】
また、本実施形態では、支柱部材２を取り外した複数の土台部材５同士を上下に積層することで、土台部材５の収納性を向上させることができるので、陳列スタンド１の利便性をより効果的に向上させることが可能となる。
【００５２】
（他の実施形態）
本考案は上述の実施形態に限定されることなく、以下のように種々変形可能である。
【００５３】
例えば、上述の実施形態では、２つの支柱部材２を、ジョイント部材４を介して連結する構成を説明したが、これに限定されず、３つ以上の支柱部材２を、ジョイント部材４を介して連結する構成としてもよい。すなわち、ユーザ等の要望に応じて支柱部材２の数を増減させればよい。
【００５４】
また、上述の実施形態では、アーム部材３を一対のアーム３１、３２および一対のステー３３、３４を設ける構成としているが、これに限定されず、アーム部材３を３つ以上のアームおよびステーを設ける構成としてもよい。
【００５５】
また、上述の実施形態では、本考案に係る陳列スタンド１を祝儀や葬儀等において供物を陳列するためのスタンドに用いる例を説明したが、これらの用途に限定されず、例えば、商品を陳列するスタンドに用いてもよい。
【符号の説明】
【００５６】
１…陳列スタンド、２…支柱部材、３…アーム部材、３１、３２…アーム、３３、３４…ステー、３６…可動支持部、４…ジョイント部材、５…土台部材、５ａ…車輪。
【図１】
0003158728.tif 000003
【図２】
0003158728.tif 000004
【図３】
0003158728.tif 000005
【図４】
0003158728.tif 000006
【図５】
0003158728.tif 000007